(57)【要約】  本発明は、リソースの構成方法および装置、コンピュータ記憶媒体を開示し、前記方法は、端末がネットワーク機器によって送信される第１の構成情報および／または第２の構成情報を受信することであって、前記第１の構成情報は、第１の検索空間に対応する第１の時間周期を指示するためであり、前記第２の構成情報は、第１のアップリンク／ダウンリンク構成情報に対応する第２の時間周期を指示するためであることと、前記端末は、前記第１の構成情報および／または第２の構成情報から１つの構成情報をターゲット構成情報として選択することと、前記端末が、前記ネットワーク機器によって送信される第３の構成情報を受信することであって、前記第３の構成情報は、前記ターゲット構成情報に対応する時間周期における前記第１のアップリンク／ダウンリンク構成情報の時間領域開始位置を決定するためであることと、前記端末は、前記ターゲット構成情報に対応する時間周期における時間領域開始位置で前記第１のアップリンク／ダウンリンク構成情報を受信し始めることと、を含む。
2021515436.tif 000002
【特許請求の範囲】
【請求項１】
リソースの構成方法であって、
端末がネットワーク機器によって送信される第１の構成情報および／または第２の構成情報を受信することであって、前記第１の構成情報は、第１の検索空間に対応する第１の時間周期を指示するためであり、前記第２の構成情報は、第１のアップリンク／ダウンリンク構成情報に対応する第２の時間周期を指示するためであることと、
前記端末は、前記第１の構成情報および／または第２の構成情報から１つの構成情報をターゲット構成情報として選択し、前記ターゲット構成情報に対応する時間周期に基づいて前記第１のアップリンク／ダウンリンク構成情報を受信することと、を含む、前記リソースの構成方法。
【請求項２】
前記端末は、前記第１の構成情報および／または第２の構成情報から１つの構成情報をターゲット構成情報として選択することは、
前記端末が前記ネットワーク機器によって送信される前記第１の構成情報を受信すれば、前記端末は、前記第１の構成情報を前記ターゲット構成情報として使用することを含む、
請求項１に記載のリソースの構成方法。
【請求項３】
前記端末は、前記第１の構成情報および／または第２の構成情報から１つの構成情報をターゲット構成情報として選択することは、
前記端末が前記ネットワーク機器によって送信される前記第２の構成情報を受信すれば、前記端末は、前記第２の構成情報を前記ターゲット構成情報として使用することを含む、
請求項１に記載のリソースの構成方法。
【請求項４】
前記端末は、前記第１の構成情報および／または第２の構成情報から１つの構成情報をターゲット構成情報として選択することは、
前記端末が、前記ネットワーク機器によって送信される前記第１の構成情報および前記第２の構成情報を受信すれば、前記端末は、前記第２の構成情報を前記ターゲット構成情報として使用することを含む、
請求項１に記載のリソースの構成方法。
【請求項５】
前記方法は、
前記端末が、前記ネットワーク機器によって送信される第３の構成情報を受信することであって、前記第３の構成情報は、前記ターゲット構成情報に対応する時間周期における前記第１のアップリンク／ダウンリンク構成情報の時間領域開始位置を決定するためであることと、
前記端末は、前記ターゲット構成情報に対応する時間周期における時間領域開始位置で前記第１のアップリンク／ダウンリンク構成情報を受信し始めることと、をさらに含む、
請求項１ないし４のいずれか一項に記載のリソースの構成方法。
【請求項６】
前記第３の構成情報は、前記ターゲット構成情報に対応する時間周期における前記第１のアップリンク／ダウンリンク構成情報の時間領域開始位置を決定するためであることは、
前記第３の構成情報は、前記ターゲット構成情報に対応する時間周期における前記第１のアップリンク／ダウンリンク構成情報の開始スロット位置を決定するためであること、または、
前記第３の構成情報は、前記ターゲット構成情報に対応する時間周期における基準スロットに対する前記第１のアップリンク／ダウンリンク構成情報のスロットオフセットを決定するためであることを含む、
請求項５に記載のリソースの構成方法。
【請求項７】
前記基準スロットは、プロトコルの構成に基づいて決定され、または、
前記基準スロットは、前記ネットワーク機器の構成に基づいて決定される、
請求項６に記載のリソースの構成方法。
【請求項８】
前記端末が、前記ネットワーク機器によって送信される第３の構成情報を受信することは、
前記端末は、前記ネットワーク機器が無線リソース制御（ＲＲＣ）シグナリングまたは共通制御シグナリングまたは専用制御シグナリングによって送信される第３の構成情報を受信することを含む、
請求項５ないし７のいずれか一項に記載のリソースの構成方法。
【請求項９】
前記第１の時間周期が前記第２の時間周期と異なり、または、
前記第１の時間周期が前記第２の時間周期と同じである、
請求項１ないし８のいずれか一項に記載のリソースの構成方法。
【請求項１０】
前記第１の検索空間は、グループ共通ダウンリンク制御チャネル（ＧＣ−ＰＤＣＣＨ）の検索空間であり、前記第１のアップリンク／ダウンリンク構成情報は、動的スロットフォーマット指示情報であり、
前記動的スロットフォーマット指示情報は、前記ＧＣ−ＰＤＣＣＨに搬送される、
請求項１ないし９のいずれか一項に記載のリソースの構成方法。
【請求項１１】
リソースの構成方法であって、
端末がネットワーク機器によって送信される第３の構成情報を受信することであって、前記第３の構成情報は、ターゲット時間周期における第１のアップリンク／ダウンリンク構成情報の時間領域開始位置を決定するためであることと、
前記端末が、前記ターゲット時間周期における時間領域開始位置で前記第１のアップリンク／ダウンリンク構成情報を受信し始めることと、を含む、前記リソースの構成方法。
【請求項１２】
前記第３の構成情報は、前記ターゲット時間周期における前記第１のアップリンク／ダウンリンク構成情報の時間領域開始位置を決定するためであることは、
前記第３の構成情報は、前記ターゲット時間周期における前記第１のアップリンク／ダウンリンク構成情報の開始スロット位置を決定するためであること、または
前記第３の構成情報は、前記ターゲット時間周期における基準スロットに対する前記第１のアップリンク／ダウンリンク構成情報のスロットオフセットを決定するためであることを含む、
請求項１１に記載のリソースの構成方法。
【請求項１３】
前記基準スロットは、プロトコルの構成に基づいて決定され、または、
前記基準スロットは、前記ネットワーク機器の構成に基づいて決定される、
請求項１２に記載のリソースの構成方法。
【請求項１４】
前記端末がネットワーク機器によって送信される第３の構成情報を受信することは、
前記端末は、前記ネットワーク機器がＲＲＣシグナリングまたは共通制御シグナリングまたは専用制御シグナリングによって送信される第３の構成情報を受信することを含む、
請求項１１ないし１３のいずれか一項に記載のリソースの構成方法。
【請求項１５】
前記第１のアップリンク／ダウンリンク構成情報は、動的スロットフォーマット指示情報である、
請求項１１ないし１４のいずれか一項に記載のリソースの構成方法。
【請求項１６】
リソースの構成方法であって、
端末が第１の構成情報および／または第２の構成情報から１つの構成情報をターゲット構成情報として選択し、前記ターゲット構成情報に対応する時間周期に基づいて第１のアップリンク／ダウンリンク構成情報を受信するように、ネットワーク機器が端末に第１の構成情報および／または第２の構成情報を送信することを含み、
前記第１の構成情報は、第１の検索空間に対応する第１の時間周期を指示するためであり、前記第２の構成情報は、第１のアップリンク／ダウンリンク構成情報に対応する第２の時間周期を指示するためである、前記リソースの構成方法。
【請求項１７】
前記方法は、
前記ネットワーク機器が前記端末に第３の構成情報を送信することであって、前記第３の構成情報は、前記ターゲット構成情報に対応する時間周期における前記第１のアップリンク／ダウンリンク構成情報の時間領域開始位置を決定するためであることをさらに含む、
請求項１６に記載のリソースの構成方法。
【請求項１８】
前記第３の構成情報は、前記ターゲット構成情報に対応する時間周期における前記第１のアップリンク／ダウンリンク構成情報の時間領域開始位置を決定するためであることは、
前記第３の構成情報は、前記ターゲット構成情報に対応する時間周期における前記第１のアップリンク／ダウンリンク構成情報の開始スロット位置を決定するためであること、または、
前記第３の構成情報は、前記ターゲット構成情報に対応する時間周期における基準スロットに対する前記第１のアップリンク／ダウンリンク構成情報のスロットオフセットを決定するためであることを含む、
請求項１７に記載のリソースの構成方法。
【請求項１９】
前記基準スロットは、プロトコルの構成に基づいて決定され、または、
前記基準スロットは、前記ネットワーク機器の構成に基づいて決定される、
請求項１８に記載のリソースの構成方法。
【請求項２０】
前記ネットワーク機器が前記端末に第３の構成情報を送信することは、
前記ネットワーク機器は、ＲＲＣシグナリングまたは共通制御シグナリングまたは専用制御シグナリングによって前記端末に前記第３の構成情報を送信することを含む、
請求項１７ないし１９のいずれか一項に記載のリソースの構成方法。
【請求項２１】
前記第１の時間周期が前記第２の時間周期と異なり、または、
前記第１の時間周期が前記第２の時間周期と同じである、
請求項１６ないし２０のいずれか一項に記載のリソースの構成方法。
【請求項２２】
前記第１の検索空間は、ＧＣ−ＰＤＣＣＨの検索空間であり、前記第１のアップリンク／ダウンリンク構成情報は、動的スロットフォーマット指示情報であり、
前記動的スロットフォーマット指示情報は、前記ＧＣ−ＰＤＣＣＨに搬送される、
請求項１６ないし２１のいずれか一項に記載のリソースの構成方法。
【請求項２３】
リソースの構成方法であって、
ネットワーク機器が端末に第３の構成情報を送信することであって、前記第３の構成情報は、ターゲット時間周期における第１のアップリンク／ダウンリンク構成情報の時間領域開始位置を決定するためであることと、
前記ネットワーク機器が、前記第３の構成情報に対応する時間領域開始位置で前記第１のアップリンク／ダウンリンク構成情報を送信することと、を含む、前記リソースの構成方法。
【請求項２４】
前記第３の構成情報は、前記ターゲット時間周期における前記第１のアップリンク／ダウンリンク構成情報の時間領域開始位置を決定するためであることは、
前記第３の構成情報は、前記ターゲット時間周期における前記第１のアップリンク／ダウンリンク構成情報の開始スロット位置を決定するためであること、または、
前記第３の構成情報は、前記ターゲット時間周期における基準スロットに対する前記第１のアップリンク／ダウンリンク構成情報のスロットオフセットを決定するためであることを含む、
請求項２３に記載のリソースの構成方法。
【請求項２５】
前記基準スロットは、プロトコルの構成に基づいて決定され、または、
前記基準スロットは、前記ネットワーク機器の構成に基づいて決定される、
請求項２４に記載のリソースの構成方法。
【請求項２６】
前記ネットワーク機器が、端末に第３の構成情報を送信することは、
前記ネットワーク機器は、ＲＲＣシグナリングまたは共通制御シグナリングまたは専用制御シグナリングによって前記端末に前記第３の構成情報を送信することを含む、
請求項２３ないし２５のいずれか一項に記載のリソースの構成方法。
【請求項２７】
前記第１のアップリンク／ダウンリンク構成情報は、動的スロットフォーマット指示情報である、
請求項２３ないし２６のいずれか一項に記載のリソースの構成方法。
【請求項２８】
リソースの構成装置であって、
ネットワーク機器によって送信される第１の構成情報および／または第２の構成情報を受信する第１の受信ユニットであって、前記第１の構成情報は、第１の検索空間に対応する第１の時間周期を指示するためであり、前記第２の構成情報は、第１のアップリンク／ダウンリンク構成情報に対応する第２の時間周期を指示するためである第１の受信ユニットと、
前記第１の構成情報および／または第２の構成情報が１つの構成情報をターゲット構成情報として選択する選択ユニットと、
前記ターゲット構成情報に対応する時間周期に基づいて前記第１のアップリンク／ダウンリンク構成情報を受信する第２の受信ユニットと、を含む、前記リソースの構成装置。
【請求項２９】
前記端末が前記ネットワーク機器によって送信される前記第１の構成情報を受信すれば、前記選択ユニットは、前記第１の構成情報を前記ターゲット構成情報として使用する、
請求項２８に記載のリソースの構成装置。
【請求項３０】
前記端末が前記ネットワーク機器によって送信される前記第２の構成情報を受信すれば、前記選択ユニットは、前記第２の構成情報を前記ターゲット構成情報として使用する、
請求項２８に記載のリソースの構成装置。
【請求項３１】
前記端末が、前記ネットワーク機器によって送信される前記第１の構成情報および前記第２の構成情報を受信すれば、前記選択ユニットは、前記第２の構成情報を前記ターゲット構成情報として使用する、
請求項２８に記載のリソースの構成装置。
【請求項３２】
前記装置は、さらに、
前記ネットワーク機器によって送信される第３の構成情報を受信する第３の受信ユニットであって、前記第３の構成情報は、前記ターゲット構成情報に対応する時間周期における前記第１のアップリンク／ダウンリンク構成情報の時間領域開始位置を決定するためである第３の受信ユニットと、
前記ターゲット構成情報に対応する時間周期における時間領域開始位置で前記第１のアップリンク／ダウンリンク構成情報を受信し始める第２の受信ユニットと、を含む、
請求項２８ないし３１のいずれか一項に記載のリソースの構成装置。
【請求項３３】
前記第３の構成情報は、前記ターゲット構成情報に対応する時間周期における前記第１のアップリンク／ダウンリンク構成情報の時間領域開始位置を決定するためであることは、
前記第３の構成情報は、前記ターゲット構成情報に対応する時間周期における前記第１のアップリンク／ダウンリンク構成情報の開始スロット位置を決定するためであること、または、
前記第３の構成情報は、前記ターゲット構成情報に対応する時間周期における基準スロットに対する前記第１のアップリンク／ダウンリンク構成情報のスロットオフセットを決定するためであることを含む、
請求項３２に記載のリソースの構成装置。
【請求項３４】
前記基準スロットは、プロトコルの構成に基づいて決定され、または、
前記基準スロットは、前記ネットワーク機器の構成に基づいて決定される、
請求項３３に記載のリソースの構成装置。
【請求項３５】
前記第３の受信ユニットは、前記ネットワーク機器がＲＲＣシグナリングまたは共通制御シグナリングまたは専用制御シグナリングによって送信される第３の構成情報を受信する、
請求項３２ないし３４のいずれか一項に記載のリソースの構成装置。
【請求項３６】
前記第１の時間周期が前記第２の時間周期と異なり、または、
前記第１の時間周期が前記第２の時間周期と同じである、
請求項２８ないし３５のいずれか一項に記載のリソースの構成装置。
【請求項３７】
前記第１の検索空間は、ＧＣ−ＰＤＣＣＨの検索空間であり、前記第１のアップリンク／ダウンリンク構成情報は、動的スロットフォーマット指示情報であり、
前記動的スロットフォーマット指示情報は、前記ＧＣ−ＰＤＣＣＨに搬送される、
請求項２８ないし３６のいずれか一項に記載のリソースの構成装置。
【請求項３８】
リソースの構成装置であって、
ネットワーク機器によって送信される第３の構成情報を受信する第３の受信ユニットであって、前記第３の構成情報は、ターゲット時間周期における第１のアップリンク／ダウンリンク構成情報の時間領域開始位置を決定するためである第３の受信ユニットと、
前記ターゲット時間周期における時間領域開始位置で前記第１のアップリンク／ダウンリンク構成情報を受信し始める第２の受信ユニットと、を含む、前記リソースの構成装置。
【請求項３９】
前記第３の構成情報は、前記ターゲット時間周期における前記第１のアップリンク／ダウンリンク構成情報の時間領域開始位置を決定するためであることは、
前記第３の構成情報は、前記ターゲット時間周期における前記第１のアップリンク／ダウンリンク構成情報の開始スロット位置を決定するためであること、または、
前記第３の構成情報は、前記ターゲット時間周期における基準スロットに対する前記第１のアップリンク／ダウンリンク構成情報のスロットオフセットを決定するためであることを含む、
請求項３８に記載のリソースの構成装置。
【請求項４０】
前記基準スロットは、プロトコルの構成に基づいて決定され、または、
前記基準スロットは、前記ネットワーク機器の構成に基づいて決定される、
請求項３９に記載のリソースの構成装置。
【請求項４１】
前記第３の受信ユニットは、前記ネットワーク機器がＲＲＣシグナリングまたは共通制御シグナリングまたは専用制御シグナリングによって送信される第３の構成情報を受信する、
請求項３８ないし４０のいずれか一項に記載のリソースの構成装置。
【請求項４２】
前記第１のアップリンク／ダウンリンク構成情報は、動的スロットフォーマット指示情報である、
請求項３８ないし４１のいずれか一項に記載のリソースの構成装置。
【請求項４３】
リソースの構成装置であって、
端末が第１の構成情報および／または第２の構成情報から１つの構成情報をターゲット構成情報として選択し、前記ターゲット構成情報に対応する時間周期に基づいて第１のアップリンク／ダウンリンク構成情報を受信するように、端末に第１の構成情報および／または第２の構成情報を送信する第１の送信ユニットを含み、
前記第１の構成情報は、第１の検索空間に対応する第１の時間周期を指示するためであり、前記第２の構成情報は、第１のアップリンク／ダウンリンク構成情報に対応する第２の時間周期を指示するためである、前記リソースの構成装置。
【請求項４４】
前記端末に第３の構成情報を送信する第２の送信ユニットであって、前記第３の構成情報は、前記ターゲット構成情報に対応する時間周期における前記第１のアップリンク／ダウンリンク構成情報の時間領域開始位置を決定するためである第２の送信ユニットをさらに含む、
請求項４３に記載のリソースの構成装置。
【請求項４５】
前記第３の構成情報は、前記ターゲット構成情報に対応する時間周期における前記第１のアップリンク／ダウンリンク構成情報の時間領域開始位置を決定するためであることは、
前記第３の構成情報は、前記ターゲット構成情報に対応する時間周期における前記第１のアップリンク／ダウンリンク構成情報の開始スロット位置を決定するためであること、または、
前記第３の構成情報は、前記ターゲット構成情報に対応する時間周期における基準スロットに対する前記第１のアップリンク／ダウンリンク構成情報のスロットオフセットを決定するためであることを含む、
請求項４４に記載のリソースの構成装置。
【請求項４６】
前記基準スロットは、プロトコルの構成に基づいて決定され、または、
前記基準スロットは、前記ネットワーク機器の構成に基づいて決定される、
請求項４５に記載のリソースの構成装置。
【請求項４７】
前記第２の送信ユニットは、ＲＲＣシグナリングまたは共通制御シグナリングまたは専用制御シグナリングによって前記端末に前記第３の構成情報を送信する、
請求項４４ないし４６のいずれか一項に記載のリソースの構成装置。
【請求項４８】
前記第１の時間周期が前記第２の時間周期と異なり、または、
前記第１の時間周期が前記第２の時間周期と同じである、
請求項４３ないし４７のいずれか一項に記載のリソースの構成装置。
【請求項４９】
前記第１の検索空間は、ＧＣ−ＰＤＣＣＨの検索空間であり、前記第１のアップリンク／ダウンリンク構成情報は、動的スロットフォーマット指示情報であり、
前記動的スロットフォーマット指示情報は、前記ＧＣ−ＰＤＣＣＨに搬送される、
請求項４３ないし４８のいずれか一項に記載のリソースの構成装置。
【請求項５０】
リソースの構成装置であって、
端末に第３の構成情報を送信する第２の送信ユニットであって、前記第３の構成情報は、ターゲット時間周期における第１のアップリンク／ダウンリンク構成情報の時間領域開始位置を決定する第２ためである送信ユニットと、
前記第３の構成情報に対応する時間領域開始位置で前記第１のアップリンク／ダウンリンク構成情報を送信する第３の送信ユニットと、を含む、前記リソースの構成装置。
【請求項５１】
前記第３の構成情報は、前記ターゲット時間周期における前記第１のアップリンク／ダウンリンク構成情報の時間領域開始位置を決定するためであることは、
前記第３の構成情報は、前記ターゲット時間周期における前記第１のアップリンク／ダウンリンク構成情報の開始スロット位置を決定するためであること、または、
前記第３の構成情報は、前記ターゲット時間周期における基準スロットに対する前記第１のアップリンク／ダウンリンク構成情報のスロットオフセットを決定するためであることを含む、
請求項５０に記載のリソースの構成装置。
【請求項５２】
前記基準スロットは、プロトコルの構成に基づいて決定され、または、
前記基準スロットは、前記ネットワーク機器の構成に基づいて決定される、
請求項５１に記載のリソースの構成装置。
【請求項５３】
前記第２の送信ユニットは、ＲＲＣシグナリングまたは共通制御シグナリングまたは専用制御シグナリングによって前記端末に前記第３の構成情報を送信する、
請求項５０ないし５２のいずれか一項に記載のリソースの構成装置。
【請求項５４】
前記第１のアップリンク／ダウンリンク構成情報は、動的スロットフォーマット指示情報である、
請求項５０ないし５３のいずれか一項に記載のリソースの構成装置。
【請求項５５】
コンピュータ記憶媒体であって、
コンピュータによって実行可能な命令が記憶され、
前記コンピュータによって実行可能な命令がプロセッサによって実行されるときに、請求項１ないし１０のいずれか一項に記載の方法ステップ、または請求項１１ないし１５のいずれか一項に記載の方法ステップ、または請求項１６ないし２２のいずれか一項に記載の方法ステップ、または請求項２３ないし２７のいずれか一項に記載の方法ステップを具現する、前記コンピュータ記憶媒体。
【発明の詳細な説明】
【技術分野】
【０００１】
本発明は、無線通信技術分野に関し、特にリソースの構成方法および装置、コンピュータ記憶媒体に関する。
【背景技術】
【０００２】
ニューラジオ（ＮＲ：Ｎｅｗ  Ｒａｄｉｏ）システムでは、スロットまたはシンボルをスケジューリング単位として使用し、ここで、各スロットは、１４個の直交周波数分割多重化（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含む。ＮＲシステムのフレーム構造には柔軟性があり、スロットには、ダウンリンク（ＤＬ：Ｄｏｗｎ  Ｌｉｎｋ）シンボル、アップリンク（ＵＬ：Ｕｐ  Ｌｉｎｋ）シンボル、および柔軟なシンボル（ｆｌｅｘｉｂｌｅ  ｓｙｍｂｏｌ）がある。柔軟なシンボルは、未知のシンボル（ｕｎｋｎｏｗｎ  ｓｙｍｂｏｌ）とも呼ばれ、柔軟なシンボルは、シグナリングを介してＤＬ伝送またはＵＬ伝送用に書き換えることができる。
【０００３】
具体的なスロットフォーマットは、スロットフォーマット指示（ＳＦＩ：Ｓｌｏｔ  Ｆｏｒｍａｔ  Ｉｎｄｉｃａｔｉｏｎ）情報によって構成され、基地局はグループ共通ダウンリンク制御チャネル（ＧＣ−ＰＤＣＣＨ：Ｇｒｏｕｐ  Ｃｏｍｍｏｎ  Ｐｈｙｓｉｃａｌ  Ｄｏｗｎｌｉｎｋ  Ｃｏｎｔｒｏｌ  Ｃｈａｎｎｅｌ）でＳＦＩを送信し、ネットワークはＧＣ−ＰＤＣＣＨに検索空間を構成し、ＧＣ−ＰＤＣＣＨは、ネットワークによって構成される検索空間で伝送する。
【０００４】
一般的に、ネットワークは、検索空間のモニタリング周期等のような対応する時間領域情報を検索空間に構成する。ネットワークは、さらに、動的スロットフォーマット指示情報のモニタリング周期等のような対応する時間領域情報を動的スロットフォーマット指示情報に構成することができる。現在の時間領域情報の構成方法は、以下のような問題が存在する。
【０００５】
１）ネットワークは、モニタリング周期を動的スロットフォーマット指示情報に構成するとともに、前記情報が構成されている検索空間にモニタリング周期を構成することができ、２つの周期が一致しない場合、端末は、動的スロットフォーマット指示情報を受信する方法を決定することができない。
【０００６】
２）ネットワークがただ動的スロットフォーマット指示情報のモニタリング周期のみを構成したが、１つの周期内の具体的な時間領域リソース位置を指定していない場合、端末は、すべての可能な時間領域位置で、動的スロットフォーマット指示情報を検出する必要があり、これにより、受信側の検出の複雑さが増加する。
【発明の概要】
【発明が解決しようとする課題】
【０００７】
上記の技術的問題を解決するために、本発明の実施例は、リソースの構成方法および装置、コンピュータ記憶媒体を提供する。
【課題を解決するための手段】
【０００８】
本発明の実施例によって提供されるリソースの構成方法は、
端末がネットワーク機器によって送信される第１の構成情報および／または第２の構成情報を受信することであって、前記第１の構成情報は、第１の検索空間に対応する第１の時間周期を指示するためであり、前記第２の構成情報は、第１のアップリンク／ダウンリンク構成情報に対応する第２の時間周期を指示するためであることと、
前記端末は、前記第１の構成情報および／または第２の構成情報から１つの構成情報をターゲット構成情報として選択し、前記ターゲット構成情報に対応する時間周期に基づいて前記第１のアップリンク／ダウンリンク構成情報を受信することと、を含む。
【０００９】
本発明の実施例において、前記端末は、前記第１の構成情報および／または第２の構成情報から１つの構成情報をターゲット構成情報として選択することは、
前記端末が前記ネットワーク機器によって送信される前記第１の構成情報を受信すれば、前記端末は、前記第１の構成情報を前記ターゲット構成情報として使用することを含む。
【００１０】
本発明の実施例において、前記端末は、前記第１の構成情報および／または第２の構成情報から１つの構成情報をターゲット構成情報として選択することは、
前記端末が前記ネットワーク機器によって送信される前記第２の構成情報を受信すれば、前記端末は、前記第２の構成情報を前記ターゲット構成情報として使用することを含む。
【００１１】
本発明の実施例において、前記端末は、前記第１の構成情報および／または第２の構成情報から１つの構成情報をターゲット構成情報として選択することは、
前記端末が、前記ネットワーク機器によって送信される前記第１の構成情報および前記第２の構成情報を受信すれば、前記端末は、前記第２の構成情報を前記ターゲット構成情報として使用することを含む。
【００１２】
本発明の実施例において、前記方法は、
前記端末が、前記ネットワーク機器によって送信される第３の構成情報を受信することであって、前記第３の構成情報は、前記ターゲット構成情報に対応する時間周期における前記第１のアップリンク／ダウンリンク構成情報の時間領域開始位置を決定するためであることと、
前記端末は、前記ターゲット構成情報に対応する時間周期における時間領域開始位置で前記第１のアップリンク／ダウンリンク構成情報を受信し始めることと、をさらに含む。
【００１３】
本発明の実施例において、前記第３の構成情報は、前記ターゲット構成情報に対応する時間周期における前記第１のアップリンク／ダウンリンク構成情報の時間領域開始位置を決定するためであることは、
前記第３の構成情報は、前記ターゲット構成情報に対応する時間周期における前記第１のアップリンク／ダウンリンク構成情報の開始スロット位置を決定するためであること、または、
前記第３の構成情報は、前記ターゲット構成情報に対応する時間周期における基準スロットに対する前記第１のアップリンク／ダウンリンク構成情報のスロットオフセットを決定するためであることを含む。
【００１４】
本発明の実施例において、
前記基準スロットは、プロトコルの構成に基づいて決定され、または、
前記基準スロットは、前記ネットワーク機器の構成に基づいて決定される。
【００１５】
本発明の実施例において、前記端末が、前記ネットワーク機器によって送信される第３の構成情報を受信することは、
前記端末は、前記ネットワーク機器が無線リソース制御（ＲＲＣ：Ｒａｄｉｏ  Ｒｅｓｏｕｒｃｅ  Ｃｏｎｔｒｏｌ）シグナリングまたは共通制御シグナリングまたは専用制御シグナリングによって送信される第３の構成情報を受信することを含む。
【００１６】
本発明の実施例において、前記第１の時間周期が前記第２の時間周期と異なり、または、
前記第１の時間周期が前記第２の時間周期と同じである。
【００１７】
本発明の実施例において、前記第１の検索空間は、ＧＣ−ＰＤＣＣＨの検索空間であり、前記第１のアップリンク／ダウンリンク構成情報は、動的スロットフォーマット指示情報であり、
前記動的スロットフォーマット指示情報は、前記ＧＣ−ＰＤＣＣＨに搬送される。
【００１８】
本発明の実施例によって提供されるリソースの構成方法は、
端末がネットワーク機器によって送信される第３の構成情報を受信することであって、前記第３の構成情報は、ターゲット時間周期における第１のアップリンク／ダウンリンク構成情報の時間領域開始位置を決定するためであることと、
前記端末が、前記ターゲット時間周期における時間領域開始位置で前記第１のアップリンク／ダウンリンク構成情報を受信し始めることと、を含む。
【００１９】
本発明の実施例において、前記第３の構成情報は、前記ターゲット時間周期における前記第１のアップリンク／ダウンリンク構成情報の時間領域開始位置を決定するためであることは、
前記第３の構成情報は、前記ターゲット時間周期における前記第１のアップリンク／ダウンリンク構成情報の開始スロット位置を決定するためであること、または、
前記第３の構成情報は、前記ターゲット時間周期における基準スロットに対する前記第１のアップリンク／ダウンリンク構成情報のスロットオフセットを決定するためであることを含む。
【００２０】
本発明の実施例において、
前記基準スロットは、プロトコルの構成に基づいて決定され、または、
前記基準スロットは、前記ネットワーク機器の構成に基づいて決定される。
【００２１】
本発明の実施例において、前記端末がネットワーク機器によって送信される第３の構成情報を受信することは、
前記端末は、前記ネットワーク機器がＲＲＣシグナリングまたは共通制御シグナリングまたは専用制御シグナリングによって送信される第３の構成情報を受信することを含む。
【００２２】
本発明の実施例において、前記第１のアップリンク／ダウンリンク構成情報は、動的スロットフォーマット指示情報である。
【００２３】
本発明の実施例によって提供されるリソースの構成方法は、
端末が第１の構成情報および／または第２の構成情報から１つの構成情報をターゲット構成情報として選択し、前記ターゲット構成情報に対応する時間周期に基づいて第１のアップリンク／ダウンリンク構成情報を受信するように、ネットワーク機器が端末に第１の構成情報および／または第２の構成情報を送信することを含み、
前記第１の構成情報は、第１の検索空間に対応する第１の時間周期を指示するためであり、前記第２の構成情報は、第１のアップリンク／ダウンリンク構成情報に対応する第２の時間周期を指示するためである。
【００２４】
本発明の実施例において、前記方法は、
前記ネットワーク機器が前記端末に第３の構成情報を送信することであって、前記第３の構成情報は、前記ターゲット構成情報に対応する時間周期における前記第１のアップリンク／ダウンリンク構成情報の時間領域開始位置を決定するためであることをさらに含む。
【００２５】
本発明の実施例において、前記第３の構成情報は、前記ターゲット構成情報に対応する時間周期における前記第１のアップリンク／ダウンリンク構成情報の時間領域開始位置を決定するためであることは、
前記第３の構成情報は、前記ターゲット構成情報に対応する時間周期における前記第１のアップリンク／ダウンリンク構成情報の開始スロット位置を決定するためであること、または、
前記第３の構成情報は、前記ターゲット構成情報に対応する時間周期における基準スロットに対する前記第１のアップリンク／ダウンリンク構成情報のスロットオフセットを決定するためであることを含む。
【００２６】
本発明の実施例において、
前記基準スロットは、プロトコルの構成に基づいて決定され、または、
前記基準スロットは、前記ネットワーク機器の構成に基づいて決定される。
【００２７】
本発明の実施例において、前記ネットワーク機器が前記端末に第３の構成情報を送信することは、
前記ネットワーク機器は、ＲＲＣシグナリングまたは共通制御シグナリングまたは専用制御シグナリングによって前記端末に前記第３の構成情報を送信する。
【００２８】
本発明の実施例において、前記第１の時間周期が前記第２の時間周期と異なり、または、
前記第１の時間周期が前記第２の時間周期と同じである。
【００２９】
本発明の実施例において、前記第１の検索空間は、ＧＣ−ＰＤＣＣＨの検索空間であり、前記第１のアップリンク／ダウンリンク構成情報は、動的スロットフォーマット指示情報であり、
前記動的スロットフォーマット指示情報は、前記ＧＣ−ＰＤＣＣＨに搬送される。
【００３０】
本発明の実施例によって提供されるリソースの構成方法は、
ネットワーク機器が端末に第３の構成情報を送信することであって、前記第３の構成情報は、ターゲット時間周期における第１のアップリンク／ダウンリンク構成情報の時間領域開始位置を決定するためであることと、
前記ネットワーク機器が、前記第３の構成情報に対応する時間領域開始位置で前記第１のアップリンク／ダウンリンク構成情報を送信することと、を含む。
【００３１】
本発明の実施例において、前記第３の構成情報は、前記ターゲット時間周期における前記第１のアップリンク／ダウンリンク構成情報の時間領域開始位置を決定するためであることは、
前記第３の構成情報は、前記ターゲット時間周期における前記第１のアップリンク／ダウンリンク構成情報の開始スロット位置を決定するためであること、または、
前記第３の構成情報は、前記ターゲット時間周期における基準スロットに対する前記第１のアップリンク／ダウンリンク構成情報のスロットオフセットを決定するためであることを含む。
【００３２】
本発明の実施例において、
前記基準スロットは、プロトコルの構成に基づいて決定され、または、
前記基準スロットは、前記ネットワーク機器の構成に基づいて決定される。
【００３３】
本発明の実施例において、前記ネットワーク機器が、端末に第３の構成情報を送信することは、
前記ネットワーク機器は、ＲＲＣシグナリングまたは共通制御シグナリングまたは専用制御シグナリングによって前記端末に前記第３の構成情報を送信することを含む。
【００３４】
本発明の実施例において、前記第１のアップリンク／ダウンリンク構成情報は、動的スロットフォーマット指示情報である。
【００３５】
本発明の実施例によって提供されるリソースの構成装置は、
ネットワーク機器によって送信される第１の構成情報および／または第２の構成情報を受信する第１の受信ユニットであって、前記第１の構成情報は、第１の検索空間に対応する第１の時間周期を指示するためであり、前記第２の構成情報は、第１のアップリンク／ダウンリンク構成情報に対応する第２の時間周期を指示するためである第１の受信ユニットと、
前記第１の構成情報および／または第２の構成情報が１つの構成情報をターゲット構成情報として選択する選択ユニットと、
前記ターゲット構成情報に対応する時間周期に基づいて前記第１のアップリンク／ダウンリンク構成情報を受信する第２の受信ユニットと、を含む。
【００３６】
本発明の実施例において、前記端末が前記ネットワーク機器によって送信される前記第１の構成情報を受信すれば、前記選択ユニットは、前記第１の構成情報を前記ターゲット構成情報として使用する。
【００３７】
本発明の実施例において、前記端末が前記ネットワーク機器によって送信される前記第２の構成情報を受信すれば、前記選択ユニットは、前記第２の構成情報を前記ターゲット構成情報として使用する。
【００３８】
本発明の実施例において、前記端末が、前記ネットワーク機器によって送信される前記第１の構成情報および前記第２の構成情報を受信すれば、前記選択ユニットは、前記第２の構成情報を前記ターゲット構成情報として使用する。
【００３９】
本発明の実施例において、前記装置は、さらに、
前記ネットワーク機器によって送信される第３の構成情報を受信する第３の受信ユニットであって、前記第３の構成情報は、前記ターゲット構成情報に対応する時間周期における前記第１のアップリンク／ダウンリンク構成情報の時間領域開始位置を決定するためである第３の受信ユニットと、
前記ターゲット構成情報に対応する時間周期における時間領域開始位置で前記第１のアップリンク／ダウンリンク構成情報を受信し始める第２の受信ユニットと、を含む。
【００４０】
本発明の実施例において、前記第３の構成情報は、前記ターゲット構成情報に対応する時間周期における前記第１のアップリンク／ダウンリンク構成情報の時間領域開始位置を決定するためであることは、
前記第３の構成情報は、前記ターゲット構成情報に対応する時間周期における前記第１のアップリンク／ダウンリンク構成情報の開始スロット位置を決定するためであること、または、
前記第３の構成情報は、前記ターゲット構成情報に対応する時間周期における基準スロットに対する前記第１のアップリンク／ダウンリンク構成情報のスロットオフセットを決定するためであることを含む。
【００４１】
本発明の実施例において、
前記基準スロットは、プロトコルの構成に基づいて決定されと、または、
前記基準スロットは、前記ネットワーク機器の構成に基づいて決定される。
【００４２】
本発明の実施例において、前記第３の受信ユニットは、前記ネットワーク機器がＲＲＣシグナリングまたは共通制御シグナリングまたは専用制御シグナリングによって送信される第３の構成情報を受信する。
【００４３】
本発明の実施例において、前記第１の時間周期が前記第２の時間周期と異なり、または、
前記第１の時間周期が前記第２の時間周期と同じである。
【００４４】
本発明の実施例において、前記第１の検索空間は、ＧＣ−ＰＤＣＣＨの検索空間であり、前記第１のアップリンク／ダウンリンク構成情報は、動的スロットフォーマット指示情報であり、
前記動的スロットフォーマット指示情報は、前記ＧＣ−ＰＤＣＣＨに搬送される。
【００４５】
本発明の実施例によって提供されるリソースの構成装置は、
ネットワーク機器によって送信される第３の構成情報を受信する第３の受信ユニットであって、前記第３の構成情報は、ターゲット時間周期における第１のアップリンク／ダウンリンク構成情報の時間領域開始位置を決定するためである第３の受信ユニットと、
前記ターゲット時間周期における時間領域開始位置で前記第１のアップリンク／ダウンリンク構成情報を受信し始める第２の受信ユニットと、を含む。
【００４６】
本発明の実施例において、前記第３の構成情報は、前記ターゲット時間周期における前記第１のアップリンク／ダウンリンク構成情報の時間領域開始位置を決定するためであることは、
前記第３の構成情報は、前記ターゲット時間周期における前記第１のアップリンク／ダウンリンク構成情報の開始スロット位置を決定するためであること、または、
前記第３の構成情報は、前記ターゲット時間周期における基準スロットに対する前記第１のアップリンク／ダウンリンク構成情報のスロットオフセットを決定するためであることを含む。
【００４７】
本発明の実施例において、
前記基準スロットは、プロトコルの構成に基づいて決定され、または、
前記基準スロットは、前記ネットワーク機器の構成に基づいて決定される。
【００４８】
本発明の実施例において、前記第３の受信ユニットは、前記ネットワーク機器がＲＲＣシグナリングまたは共通制御シグナリングまたは専用制御シグナリングによって送信される第３の構成情報を受信する。
【００４９】
本発明の実施例において、前記第１のアップリンク／ダウンリンク構成情報は、動的スロットフォーマット指示情報である。
【００５０】
本発明の実施例によって提供されるリソースの構成装置は、
端末が第１の構成情報および／または第２の構成情報から１つの構成情報をターゲット構成情報として選択し、前記ターゲット構成情報に対応する時間周期に基づいて第１のアップリンク／ダウンリンク構成情報を受信するように、端末に第１の構成情報および／または第２の構成情報を送信する第１の送信ユニットを含み、
前記第１の構成情報は、第１の検索空間に対応する第１の時間周期を指示するためであり、前記第２の構成情報は、第１のアップリンク／ダウンリンク構成情報に対応する第２の時間周期を指示するためである。
【００５１】
本発明の実施例において、前記装置は、さらに、
前記端末に第３の構成情報を送信する第２の送信ユニットであって、前記第３の構成情報は、前記ターゲット構成情報に対応する時間周期における前記第１のアップリンク／ダウンリンク構成情報の時間領域開始位置を決定するためである第２の送信ユニットを含む。
【００５２】
本発明の実施例において、前記第３の構成情報は、前記ターゲット構成情報に対応する時間周期における前記第１のアップリンク／ダウンリンク構成情報の時間領域開始位置を決定するためであることは、
前記第３の構成情報は、前記ターゲット構成情報に対応する時間周期における前記第１のアップリンク／ダウンリンク構成情報の開始スロット位置を決定するためであること、または、
前記第３の構成情報は、前記ターゲット構成情報に対応する時間周期における基準スロットに対する前記第１のアップリンク／ダウンリンク構成情報のスロットオフセットを決定するためであることを含む。
【００５３】
本発明の実施例において、
前記基準スロットは、プロトコルの構成に基づいて決定され、または、
前記基準スロットは、前記ネットワーク機器の構成に基づいて決定される。
【００５４】
本発明の実施例において、前記第２の送信ユニットは、ＲＲＣシグナリングまたは共通制御シグナリングまたは専用制御シグナリングによって前記端末に前記第３の構成情報を送信する。
【００５５】
本発明の実施例において、前記第１の時間周期が前記第２の時間周期と異なり、または、
前記第１の時間周期が前記第２の時間周期と同じである。
【００５６】
本発明の実施例において、前記第１の検索空間は、ＧＣ−ＰＤＣＣＨの検索空間であり、前記第１のアップリンク／ダウンリンク構成情報は、動的スロットフォーマット指示情報であり、
前記動的スロットフォーマット指示情報は、前記ＧＣ−ＰＤＣＣＨに搬送される。
【００５７】
本発明の実施例によって提供されるリソースの構成装置は、
端末に第３の構成情報を送信する第２の送信ユニットであって、前記第３の構成情報は、ターゲット時間周期における第１のアップリンク／ダウンリンク構成情報の時間領域開始位置を決定する第２ためである送信ユニットと、
前記第３の構成情報に対応する時間領域開始位置で前記第１のアップリンク／ダウンリンク構成情報を送信する第３の送信ユニットと、を含む。
【００５８】
本発明の実施例において、前記第３の構成情報は、前記ターゲット時間周期における前記第１のアップリンク／ダウンリンク構成情報の時間領域開始位置を決定するためであることは、
前記第３の構成情報は、前記ターゲット時間周期における前記第１のアップリンク／ダウンリンク構成情報の開始スロット位置を決定するためであること、または、
前記第３の構成情報は、前記ターゲット時間周期における基準スロットに対する前記第１のアップリンク／ダウンリンク構成情報のスロットオフセットを決定するためであることを含む。
【００５９】
本発明の実施例において、
前記基準スロットは、プロトコルの構成に基づいて決定され、または、
前記基準スロットは、前記ネットワーク機器の構成に基づいて決定される。
【００６０】
本発明の実施例において、前記第２の送信ユニットは、ＲＲＣシグナリングまたは共通制御シグナリングまたは専用制御シグナリングによって前記端末に前記第３の構成情報を送信する。
【００６１】
本発明の実施例において、前記第１のアップリンク／ダウンリンク構成情報は、動的スロットフォーマット指示情報である。
【００６２】
本発明の実施例によって提供されるコンピュータ記憶媒体において、コンピュータによって実行可能な命令が記憶され、前記コンピュータによって実行可能な命令がプロセッサによって実行されるときに、上記したリソースの構成方法を具現する。
【発明の効果】
【００６３】
本発明の実施例の技術的解決策では、端末がネットワーク機器によって送信される第１の構成情報および／または第２の構成情報を受信することであって、前記第１の構成情報は、第１の検索空間に対応する第１の時間周期を指示するためであり、前記第２の構成情報は、第１のアップリンク／ダウンリンク構成情報に対応する第２の時間周期を指示するためであることと、前記端末は、前記第１の構成情報および／または第２の構成情報から１つの構成情報をターゲット構成情報として選択し、前記ターゲット構成情報に対応する時間周期に基づいて前記第１のアップリンク／ダウンリンク構成情報を受信することと、を含む。本発明の実施例の技術的解決策を使用して、ネットワーク機器にモニタリング周期を構成し、又は２種類のモニタリング周期を同時に構成した場合、端末は、どの時間周期に基づいて動的スロットフォーマット指示情報を受信するかを決定することができる。さらに、ネットワーク機器は、モニタリング周期を構成するだけでなく、動的スロットフォーマット指示情報の当該モニタリング周期内の時間領域開始位置も構成して、それにより、端末がすべての可能な時間領域位置で動的スロットフォーマット指示情報を検出する必要がないため、受信側の検出の複雑さが軽減され、同時に端末の電力消耗が節約される。
【図面の簡単な説明】
【００６４】
ここで説明される図面は本発明の更なる理解を提供するために使用され、本出願の一部を構成し、本発明の例示的な実施例およびその説明は本発明を解釈するために使用され、本発明に対する不適切な限定を構成しない。
【図１】本発明の実施例のリソースの構成方法の例示的なフローチャート１である。
【図２】本発明の実施例のリソースの構成方法の例示的なフローチャート２である。
【図３】本発明の実施例のリソースの構成方法の例示的なフローチャート３である。
【図４】本発明の実施例のリソースの構成方法の例示的なフローチャート４である。
【図５】本発明の実施例のリソースの構成方法の例示的なフローチャート５である。
【図６】本発明の実施例のリソースの構成装置の例示的な構造構成図１である。
【図７】本発明の実施例のリソースの構成装置の例示的な構造構成図２である。
【図８】本発明の実施例のリソースの構成装置の例示的な構造構成図３である。
【図９】本発明の実施例のリソースの構成装置の例示的な構造構成図４である。
【図１０】本発明の実施例のコンピュータデバイスの例示的な構造構成図である。
【発明を実施するための形態】
【００６５】
本発明の実施例の技術的解決策の理解を容易にするために、以下は本発明の実施例に関する関連構成について説明する。
【００６６】
システムのスロットフォーマットの構成方式は、主に次の通りである。
【００６７】
１：（１．１）セルレベルの準静的スロットフォーマットの構成（Ｃｅｌｌ−ｓｐｅｃｉｆｉｃ  ｓｅｍｉ−ｐｅｒｓｉｓｔｅｎｔ  ｓｌｏｔ  ｆｏｒｍａｔ  ｃｏｎｆｉｇｕｒａｔｉｏｎ）、および（１．２）ユーザレベルの準静的スロットフォーマットの構成（ＵＥ−ｓｐｅｃｉｆｉｃ  ｓｅｍｉ−ｐｅｒｓｉｓｔｅｎｔ  ｓｌｏｔ  ｆｏｒｍａｔ  ｃｏｎｆｉｇｕｒａｔｉｏｎ）の２種類を含む準静的スロットフォーマットの構成
２：動的スロットフォーマット指示（Ｄｙｎａｍｉｃ  Ｓｌｏｔ  Ｆｏｒｍａｔ  Ｉｎｄｉｃａｔｉｏｎ）
一実施形態では、ネットワークは、準静的スロットフォーマットの構成を介してアップリンクおよびダウンリンクスロット構造を構成し、準静的スロットフォーマットの構成は、スロット内のダウンリンク（ＤＬ）シンボル、アップリンク（ＵＬ）シンボル、柔軟なシンボルの数および位置等を指示することができる。別の実施形態において、ネットワークは、スロット構造を動的に指示するために、動的シグナリング（例えばＧＣ−ＰＤＣＣＨ）を介してＳＦＩを送信することができ、ＳＦＩでＤＬシンボル、ＵＬシンボルおよび柔軟なシンボルを指示することができ、さらに、ＳＦＩは、準静的スロットフォーマットの構成に結合してスロット構造を動的に指示することができ、準静的スロットフォーマットの構成のスロット構造におけるＤＬシンボルとＵＬシンボルは、動的ＳＦＩによって変更されることができないが、柔軟なシンボルは、動的ＳＦＩによってＤＬシンボル、ＵＬシンボルに変更され、またはＳＦＩによって変更されない。
【００６８】
図１は、本発明の実施例のリソースの構成方法の例示的なフローチャート１であり、図１に示されるように、前記リソースの構成方法は、以下のステップを含む。
【００６９】
ステップ１０１において、端末はネットワーク機器によって送信される第１の構成情報および／または第２の構成情報を受信し、前記第１の構成情報は、第１の検索空間に対応する第１の時間周期を指示するためであり、前記第２の構成情報は、第１のアップリンク／ダウンリンク構成情報に対応する第２の時間周期を指示するためである。
【００７０】
本発明の実施例において、前記端末は、携帯電話、タブレットコンピュータ、ラップトップ、ゲームコンソール、パームトップコンピュータ、デスクトップコンピュータ等、ネットワークと通信することができる任意のデバイスであり得る。
【００７１】
本発明の実施例において、前記ネットワーク機器は、例えば５ＧシステムのｇＮＢ、４Ｇシステム中のｅＮＢ等のような基地局であり得る。
【００７２】
本発明の実施例において、前記第１の構成情報は、第１の検索空間に対応する第１の時間周期を指示するためであり、一実施形態では、前記第１の検索空間は、ＧＣ−ＰＤＣＣＨの検索空間であり、第１の時間周期は、ＧＣ−ＰＤＣＣＨの検索空間のモニタリング周期を指す。例えば、第１の時間周期は５つのスロットである。
【００７３】
本発明の実施例において、前記第２の構成情報は、第１のアップリンク／ダウンリンク構成情報に対応する第２の時間周期を指示するためであり、一実施形態では、前記第１のアップリンク／ダウンリンク構成情報は、動的スロットフォーマット指示情報であり、ここで、前記動的スロットフォーマット指示情報は、前記ＧＣ−ＰＤＣＣＨに搬送され、第２の時間周期は、動的スロットフォーマット指示情報のモニタリング周期を指す。例えば、第２の時間周期は４つのスロットである。
【００７４】
本発明の実施例において、前記第１の時間周期は、前記第２の時間周期と異なることができ、これに限定されず、前記第１の時間周期は前記第２の時間周期と同じであってもよい。
【００７５】
本発明の実施例において、ネットワーク機器は、端末に対して１種類の構成情報、即ち、第１の構成情報または第２の構成情報のみを構成してもよい。ネットワーク機器は、また端末に対して２種類の構成情報、即ち、第１の構成情報と第２の構成情報を同時に構成してもよい。
【００７６】
ステップ１０２において、前記端末は、前記第１の構成情報および／または第２の構成情報から１つの構成情報をターゲット構成情報として選択し、前記ターゲット構成情報に対応する時間周期に基づいて前記第１のアップリンク／ダウンリンク構成情報を受信する。
【００７７】
本発明の実施例において、前記端末は、第１のアップリンク／ダウンリンク構成情報を受信するためのターゲット構成情報（即ち、ターゲット周期）を決定し、それは以下の状況を有する。
【００７８】
状況１：前記端末が前記ネットワーク機器によって送信される前記第１の構成情報を受信すれば、前記端末は、前記第１の構成情報を前記ターゲット構成情報として使用する。
【００７９】
例えば、ネットワーク機器が動的スロットフォーマット指示情報のモニタリング周期Ｔ１を構成せず、ネットワーク機器が当該情報の位置する検索空間のモニタリング周期Ｔ２を構成する場合、前記端末は、周期Ｔ２にしたがって、動的スロットフォーマット指示情報をモニタリングする。
【００８０】
状況２：前記端末が前記ネットワーク機器によって送信される前記第２の構成情報を受信すれば、前記端末は、前記第２の構成情報を前記ターゲット構成情報として使用する。
【００８１】
例えば、ネットワーク機器が動的スロットフォーマット指示情報のモニタリング周期Ｔ１を構成し、当該情報が配置される検索空間のモニタリング周期Ｔ２を構成しない場合、前記端末は、周期Ｔ１にしたがって、動的スロットフォーマット指示情報をモニタリングする。
【００８２】
状況３：前記端末が、前記ネットワーク機器によって送信される前記第１の構成情報および前記第２の構成情報を受信すれば、前記端末は、前記第２の構成情報を前記ターゲット構成情報として使用する。
【００８３】
例えば、ネットワーク機器は、動的スロットフォーマット指示情報に対してモニタリング周期Ｔ１を構成するとともに、当該情報が配置される検索空間に対してモニタリング周期Ｔ２を構成する場合、端末は、周期Ｔ１にしたがって、動的スロットフォーマット指示情報をモニタリングする。ここで、Ｔ１は、Ｔ２と等しい場合とそうでない場合がある。Ｔ１＝４つのスロットであり、Ｔ２＝５つのスロットであると仮定すれば、端末は、Ｔ１＝４つのスロットにしたがって、動的スロットフォーマット指示情報をモニタリングする。
【００８４】
図２は、本発明の実施例のリソースの構成方法の例示的なフローチャート２であり、図２に示されるように、前記リソースの構成方法は、以下のステップを含む。
【００８５】
ステップ２０１において、端末がネットワーク機器によって送信される第３の構成情報を受信し、前記第３の構成情報は、ターゲット時間周期における第１のアップリンク／ダウンリンク構成情報の時間領域開始位置を決定するためである。
【００８６】
本発明の実施例において、前記第１のアップリンク／ダウンリンク構成情報は、動的スロットフォーマット指示情報である。前記動的スロットフォーマット指示情報は、前記ＧＣ−ＰＤＣＣＨに搬送される。
【００８７】
本発明の実施例において、前記第３の構成情報は、前記ターゲット時間周期における前記第１のアップリンク／ダウンリンク構成情報の時間領域開始位置を決定するためであることは、
１）前記第３の構成情報は、前記ターゲット時間周期における前記第１のアップリンク／ダウンリンク構成情報の開始スロット位置を決定するためであること、または、
２）前記第３の構成情報は、前記ターゲット時間周期における基準スロットに対する前記第１のアップリンク／ダウンリンク構成情報のスロットオフセットを決定するためであることを含む。
【００８８】
上記の方式１）について、第３の構成情報は、動的スロットフォーマット指示情報の１つの時間周期における開始スロット位置を直接に構成する。例えば、１つの時間周期における４番目のスロットが開始スロット位置である。
【００８９】
上記の方式２）について、第３の構成情報は、動的スロットフォーマット指示情報の１つの時間周期における基準スロットに対するスロットオフセットを構成し、これにより、リソースを節約することができる。さらに、前記基準スロットは、以下の方式に基づいて決定される。
【００９０】
１）前記基準スロットは、プロトコルの構成に基づいて決定され、または、
２）前記基準スロットは、前記ネットワーク機器の構成に基づいて決定される。
【００９１】
例えば、ネットワークは、端末に対してスロットフォーマット指示情報の１つのモニタリング周期内のスロットオフセット（ＳＦＩ−ｏｆｆｓｅｔ−ｓｌｏｔ）を構成し、一実施形態では、前記スロットオフセットは、当該モニタリング周期の１番目のスロットに対する時間オフセット（単位は、スロットである）である。
【００９２】
例えば、ネットワークは、１つのモニタリング周期を５つのスロットとして構成する場合、スロットオフセットの値の範囲は｛０、１、２、３、４｝であり、ここで、前記スロットオフセットは、モニタリング周期の１番目のスロットに対するものである。一実施形態では、１つのモニタリング周期の１番目のスロットは、式ｍｏｄ（Ｉｎｄ＿ｓｌｏｔ，５）＝０に対応するスロットインデックス（Ｉｎｄ＿ｓｌｏｔ）によって決定することができ、ここで、式によると、ｍｏｄ（Ａ、Ｂ）は、ＡをＢで割った余りを示し、スロット０、スロット５、スロット１０、スロット１５……は、１つのモニタリング周期の１番目のスロットを示し、スロットオフセットは、各モニタリング周期内の当該モニタリング周期の１番目のスロットに対してオフセットされるスロットの数である。
【００９３】
本発明の実施例において、前記端末は、前記ネットワーク機器がＲＲＣシグナリングまたは共通制御シグナリングまたは専用制御シグナリングによって送信される第３の構成情報を受信する。
【００９４】
ステップ２０２において、前記端末が、前記ターゲット時間周期における時間領域開始位置で前記第１のアップリンク／ダウンリンク構成情報を受信し始める。
【００９５】
図３は、本発明の実施例のリソースの構成方法の例示的なフローチャート３であり、図３に示されるように、前記リソースの構成方法は、以下のステップを含む。
【００９６】
ステップ３０１において、端末はネットワーク機器によって送信される第１の構成情報および／または第２の構成情報を受信し、前記第１の構成情報は、第１の検索空間に対応する第１の時間周期を指示するためであり、前記第２の構成情報は、第１のアップリンク／ダウンリンク構成情報に対応する第２の時間周期を指示するためである。
【００９７】
ステップ３０２において、前記端末は、前記第１の構成情報および／または第２の構成情報から１つの構成情報をターゲット構成情報として選択する。
【００９８】
本発明の実施例において、前記端末は、前記第１の構成情報および／または第２の構成情報から１つの構成情報をターゲット構成情報として選択し、以下のいくつかの状況を含む。
【００９９】
状況１：前記端末が前記ネットワーク機器によって送信される前記第１の構成情報を受信すれば、前記端末は、前記第１の構成情報を前記ターゲット構成情報として使用する。
【０１００】
状況２：前記端末が前記ネットワーク機器によって送信される前記第２の構成情報を受信すれば、前記端末は、前記第２の構成情報を前記ターゲット構成情報として使用する。
【０１０１】
状況３：前記端末が、前記ネットワーク機器によって送信される前記第１の構成情報および前記第２の構成情報を受信すれば、前記端末は、前記第２の構成情報を前記ターゲット構成情報として使用する。
【０１０２】
ステップ３０３において、前記端末は、前記ネットワーク機器によって送信される第３の構成情報を受信し、前記第３の構成情報は、前記ターゲット構成情報に対応する時間周期における前記第１のアップリンク／ダウンリンク構成情報の時間領域開始位置を決定するためである。
【０１０３】
本発明の実施例において、前記第３の構成情報は、前記ターゲット構成情報に対応する時間周期における前記第１のアップリンク／ダウンリンク構成情報の時間領域開始位置を決定するためであることは、
１）前記第３の構成情報は、前記ターゲット構成情報に対応する時間周期における前記第１のアップリンク／ダウンリンク構成情報の開始スロット位置を決定するためであること、または、
２）前記第３の構成情報は、前記ターゲット構成情報に対応する時間周期における基準スロットに対する前記第１のアップリンク／ダウンリンク構成情報のスロットオフセットを決定するためであることを含む。
【０１０４】
本発明の実施例において、
１）前記基準スロットは、プロトコルの構成に基づいて決定され、または、
２）前記基準スロットは、前記ネットワーク機器の構成に基づいて決定される。
【０１０５】
本発明の実施例において、前記端末は、前記ネットワーク機器が無線リソース制御（ＲＲＣ）シグナリングまたは共通制御シグナリングまたは専用制御シグナリングによって送信される第３の構成情報を受信する。
【０１０６】
ステップ３０４において、前記端末は、前記ターゲット構成情報に対応する時間周期における時間領域開始位置で前記第１のアップリンク／ダウンリンク構成情報を受信し始める。
【０１０７】
本発明の実施例の上記の技術案において、前記第１の検索空間は、グループ共通ダウンリンク制御チャネル（ＧＣ−ＰＤＣＣＨ）の検索空間であり、前記第１のアップリンク／ダウンリンク構成情報は、動的スロットフォーマット指示情報であり、ここで、前記動的スロットフォーマット指示情報は、前記ＧＣ−ＰＤＣＣＨに搬送される。
【０１０８】
図４は、本発明の実施例のリソースの構成方法の例示的なフローチャート４であり、図４に示されるように、前記リソースの構成方法は、以下のステップを含む。
【０１０９】
ステップ４０１において、端末が第１の構成情報および／または第２の構成情報から１つの構成情報をターゲット構成情報として選択し、前記ターゲット構成情報に対応する時間周期に基づいて第１のアップリンク／ダウンリンク構成情報を受信するように、ネットワーク機器が端末に第１の構成情報および／または第２の構成情報を送信する。ここで、前記第１の構成情報は、第１の検索空間に対応する第１の時間周期を指示するためであり、前記第２の構成情報は、第１のアップリンク／ダウンリンク構成情報に対応する第２の時間周期を指示するためである。
【０１１０】
一実施形態では、前記ネットワーク機器が前記端末に第３の構成情報を送信し、前記第３の構成情報は、前記ターゲット構成情報に対応する時間周期における前記第１のアップリンク／ダウンリンク構成情報の時間領域開始位置を決定するためである。
【０１１１】
本発明の実施例において、前記第３の構成情報は、前記ターゲット構成情報に対応する時間周期における前記第１のアップリンク／ダウンリンク構成情報の時間領域開始位置を決定するためであることは、
１）前記第３の構成情報は、前記ターゲット構成情報に対応する時間周期における前記第１のアップリンク／ダウンリンク構成情報の開始スロット位置を決定するためであること、または、
２）前記第３の構成情報は、前記ターゲット構成情報に対応する時間周期における基準スロットに対する前記第１のアップリンク／ダウンリンク構成情報のスロットオフセットを決定するためであることを含む。
【０１１２】
本発明の実施例において、
１）前記基準スロットは、プロトコルの構成に基づいて決定され、または、
２）前記基準スロットは、前記ネットワーク機器の構成に基づいて決定される。
【０１１３】
本発明の実施例において、前記ネットワーク機器は、ＲＲＣシグナリングまたは共通制御シグナリングまたは専用制御シグナリングによって前記端末に前記第３の構成情報を送信する。
【０１１４】
本発明の実施例において、前記第１の時間周期が前記第２の時間周期と異なり、または、前記第１の時間周期が前記第２の時間周期と同じである。
【０１１５】
本発明の実施例において、前記第１の検索空間は、ＧＣ−ＰＤＣＣＨの検索空間であり、前記第１のアップリンク／ダウンリンク構成情報は、動的スロットフォーマット指示情報であり、前記動的スロットフォーマット指示情報は、前記ＧＣ−ＰＤＣＣＨに搬送される。
【０１１６】
図５は、本発明の実施例のリソースの構成方法の例示的なフローチャート５であり、図５に示されるように、前記リソースの構成方法は、以下のステップを含む。
【０１１７】
ステップ５０１において、ネットワーク機器は端末に第３の構成情報を送信し、前記第３の構成情報は、ターゲット時間周期における第１のアップリンク／ダウンリンク構成情報の時間領域開始位置を決定するためである。
【０１１８】
本発明の実施例において、前記第３の構成情報は、前記ターゲット時間周期における前記第１のアップリンク／ダウンリンク構成情報の時間領域開始位置を決定するためであることは、
１）前記第３の構成情報は、前記ターゲット時間周期における前記第１のアップリンク／ダウンリンク構成情報の開始スロット位置を決定するためであること、または、
２）前記第３の構成情報は、前記ターゲット時間周期における基準スロットに対する前記第１のアップリンク／ダウンリンク構成情報のスロットオフセットを決定するためであることを含む。
【０１１９】
本発明の実施例において、
１）前記基準スロットは、プロトコルの構成に基づいて決定され、または、
２）前記基準スロットは、前記ネットワーク機器の構成に基づいて決定される。
【０１２０】
本発明の実施例において、前記ネットワーク機器は、ＲＲＣシグナリングまたは共通制御シグナリングまたは専用制御シグナリングによって前記端末に前記第３の構成情報を送信する。
【０１２１】
ステップ５０２において、前記ネットワーク機器が、前記第３の構成情報に対応する時間領域開始位置で前記第１のアップリンク／ダウンリンク構成情報を送信する。
【０１２２】
本発明の実施例において、前記第１のアップリンク／ダウンリンク構成情報は、動的スロットフォーマット指示情報である。
【０１２３】
図６は、本発明の実施例のリソースの構成装置の例示的な構造構成図１であり、端末に適用され、図６に示されるように、前記装置は、
ネットワーク機器によって送信される第１の構成情報および／または第２の構成情報を受信する第１の受信ユニット６０１であって、前記第１の構成情報は、第１の検索空間に対応する第１の時間周期を指示するためであり、前記第２の構成情報は、第１のアップリンク／ダウンリンク構成情報に対応する第２の時間周期を指示するためである第１の受信ユニット６０１と、
前記第１の構成情報および／または第２の構成情報から１つの構成情報をターゲット構成情報として選択する選択ユニット６０２と、
前記ターゲット構成情報に対応する時間周期に基づいて前記第１のアップリンク／ダウンリンク構成情報を受信する第２の受信ユニット６０３と、を含む。
【０１２４】
一実施形態では、前記端末が前記ネットワーク機器によって送信される前記第１の構成情報を受信すれば、前記選択ユニット６０２は、前記第１の構成情報を前記ターゲット構成情報として使用する。
【０１２５】
一実施形態では、前記端末が前記ネットワーク機器によって送信される前記第２の構成情報を受信すれば、前記選択ユニット６０２は、前記第２の構成情報を前記ターゲット構成情報として使用する。
【０１２６】
一実施形態では、前記端末が、前記ネットワーク機器によって送信される前記第１の構成情報および前記第２の構成情報を受信すれば、前記選択ユニット６０２は、前記第２の構成情報を前記ターゲット構成情報として使用する。
【０１２７】
一実施形態では、前記装置は、さらに、
前記ネットワーク機器によって送信される第３の構成情報を受信する第３の受信ユニット６０４であって、前記第３の構成情報は、前記ターゲット構成情報に対応する時間周期における前記第１のアップリンク／ダウンリンク構成情報の時間領域開始位置を決定するためである第３の受信ユニット６０４と、
前記ターゲット構成情報に対応する時間周期における時間領域開始位置で前記第１のアップリンク／ダウンリンク構成情報を受信し始める第２の受信ユニット６０３と、を含む。
【０１２８】
一実施形態では、前記第３の構成情報は、前記ターゲット構成情報に対応する時間周期における前記第１のアップリンク／ダウンリンク構成情報の時間領域開始位置を決定するためであることは、
前記第３の構成情報は、前記ターゲット構成情報に対応する時間周期における前記第１のアップリンク／ダウンリンク構成情報の開始スロット位置を決定するためであること、または、
前記第３の構成情報は、前記ターゲット構成情報に対応する時間周期における基準スロットに対する前記第１のアップリンク／ダウンリンク構成情報のスロットオフセットを決定するためであることを含む。
【０１２９】
一実施形態では、
前記基準スロットは、プロトコルの構成に基づいて決定され、または、
前記基準スロットは、前記ネットワーク機器の構成に基づいて決定される。
【０１３０】
一実施形態では、前記第３の受信ユニット６０４は、前記ネットワーク機器がＲＲＣシグナリングまたは共通制御シグナリングまたは専用制御シグナリングによって送信される第３の構成情報を受信するように構成される。
【０１３１】
一実施形態では、前記第１の時間周期が前記第２の時間周期と異なり、または、
前記第１の時間周期が前記第２の時間周期と同じである。
【０１３２】
一実施形態では、前記第１の検索空間は、ＧＣ−ＰＤＣＣＨの検索空間であり、前記第１のアップリンク／ダウンリンク構成情報は、動的スロットフォーマット指示情報であり、
ここで、前記動的スロットフォーマット指示情報は、前記ＧＣ−ＰＤＣＣＨに搬送される。
【０１３３】
当業者は、図６に示されるリソースの構成装置における各ユニットの実装機能が、前述のリソースの構成方法の関連する説明を参照することにより理解することができることを理解するはずである。図６に示されるリソースの構成装置における各ユニットの機能は、プロセッサ上で動作されるプログラムによって実装されてもよく、具体的な論理回路によって実装されてもよい。
【０１３４】
図７は、本発明の実施例のリソースの構成装置の例示的な構造構成図２であり、端末に適用され、図７に示されるように、前記装置は、
ネットワーク機器によって送信される第３の構成情報を受信する第３の受信ユニット７０１であって、前記第３の構成情報は、ターゲット時間周期における第１のアップリンク／ダウンリンク構成情報の時間領域開始位置を決定するためである第３の受信ユニット７０１と、
前記ターゲット時間周期における時間領域開始位置で前記第１のアップリンク／ダウンリンク構成情報を受信し始める第２の受信ユニット７０２と、を含む。
【０１３５】
一実施形態では、前記第３の構成情報は、前記ターゲット時間周期における前記第１のアップリンク／ダウンリンク構成情報の時間領域開始位置を決定するためであることは、
前記第３の構成情報は、前記ターゲット時間周期における前記第１のアップリンク／ダウンリンク構成情報の開始スロット位置を決定するためであること、または、
前記第３の構成情報は、前記ターゲット時間周期における基準スロットに対する前記第１のアップリンク／ダウンリンク構成情報のスロットオフセットを決定するためであることを含む。
【０１３６】
一実施形態では、
前記基準スロットは、プロトコルの構成に基づいて決定され、または、
前記基準スロットは、前記ネットワーク機器の構成に基づいて決定される。
【０１３７】
一実施形態では、前記第３の受信ユニット７０１は、前記ネットワーク機器がＲＲＣシグナリングまたは共通制御シグナリングまたは専用制御シグナリングによって送信される第３の構成情報を受信するように構成される。
【０１３８】
一実施形態では、前記第１のアップリンク／ダウンリンク構成情報は、動的スロットフォーマット指示情報である。
【０１３９】
当業者は、図７に示されるリソースの構成装置における各ユニットの実装機能が、前述のリソースの構成方法の関連する説明を参照することにより理解することができることを理解するはずである。図７に示されるリソースの構成装置における各ユニットの機能は、プロセッサ上で動作されるプログラムによって実装されてもよく、具体的な論理回路によって実装されてもよい。
【０１４０】
図８は、本発明の実施例のリソースの構成装置の例示的な構造構成図３であり、ネットワーク機器（例えば、基地局）に適用され、図８に示されるように、前記装置は、
端末が第１の構成情報および／または第２の構成情報から１つの構成情報をターゲット構成情報として選択し、前記ターゲット構成情報に対応する時間周期に基づいて第１のアップリンク／ダウンリンク構成情報を受信するように、端末に第１の構成情報および／または第２の構成情報を送信する第１の送信ユニット８０１を含み、
ここで、前記第１の構成情報は、第１の検索空間に対応する第１の時間周期を指示するためであり、前記第２の構成情報は、第１のアップリンク／ダウンリンク構成情報に対応する第２の時間周期を指示するためである。
【０１４１】
一実施形態では、前記装置は、さらに、
前記端末に第３の構成情報を送信する第２の送信ユニット８０２であって、前記第３の構成情報は、前記ターゲット構成情報に対応する時間周期における前記第１のアップリンク／ダウンリンク構成情報の時間領域開始位置を決定するためである第２の送信ユニット８０２を含む。
【０１４２】
一実施形態では、前記第３の構成情報は、前記ターゲット構成情報に対応する時間周期における前記第１のアップリンク／ダウンリンク構成情報の時間領域開始位置を決定するためであることは、
前記第３の構成情報は、前記ターゲット構成情報に対応する時間周期における前記第１のアップリンク／ダウンリンク構成情報の開始スロット位置を決定するためであること、または、
前記第３の構成情報は、前記ターゲット構成情報に対応する時間周期における基準スロットに対する前記第１のアップリンク／ダウンリンク構成情報のスロットオフセットを決定するためであることを含む。
【０１４３】
一実施形態では、
前記基準スロットは、プロトコルの構成に基づいて決定され、または、
前記基準スロットは、前記ネットワーク機器の構成に基づいて決定される。
【０１４４】
一実施形態では、前記第２の送信ユニット８０２は、ＲＲＣシグナリングまたは共通制御シグナリングまたは専用制御シグナリングによって前記端末に前記第３の構成情報を送信する。
【０１４５】
一実施形態では、前記第１の時間周期が前記第２の時間周期と異なり、または、
前記第１の時間周期が前記第２の時間周期と同じである。
【０１４６】
一実施形態では、前記第１の検索空間は、ＧＣ−ＰＤＣＣＨの検索空間であり、前記第１のアップリンク／ダウンリンク構成情報は、動的スロットフォーマット指示情報であり、
前記動的スロットフォーマット指示情報は、前記ＧＣ−ＰＤＣＣＨに搬送される。
【０１４７】
当業者は、図８に示されるリソースの構成装置における各ユニットの実装機能が、前述のリソースの構成方法の関連する説明を参照することにより理解することができることを理解するはずである。図８に示されるリソースの構成装置における各ユニットの機能は、プロセッサ上で動作されるプログラムによって実装されてもよく、具体的な論理回路によって実装されてもよい。
【０１４８】
図９は、本発明の実施例のリソースの構成装置の例示的な構造構成図４であり、ネットワーク機器（例えば、基地局）に適用され、図９に示されるように、前記装置は、
端末に第３の構成情報を送信する第２の送信ユニット９０１であって、前記第３の構成情報は、ターゲット時間周期における第１のアップリンク／ダウンリンク構成情報の時間領域開始位置を決定する第２ためである送信ユニット９０１と、
前記第３の構成情報に対応する時間領域開始位置で前記第１のアップリンク／ダウンリンク構成情報を送信する第３の送信ユニット９０２と、を含む。
【０１４９】
一実施形態では、前記第３の構成情報は、前記ターゲット時間周期における前記第１のアップリンク／ダウンリンク構成情報の時間領域開始位置を決定するためであることは、
前記第３の構成情報は、前記ターゲット時間周期における前記第１のアップリンク／ダウンリンク構成情報の開始スロット位置を決定するためであること、または、
前記第３の構成情報は、前記ターゲット時間周期における基準スロットに対する前記第１のアップリンク／ダウンリンク構成情報のスロットオフセットを決定するためであることを含む。
【０１５０】
一実施形態では、
前記基準スロットは、プロトコルの構成に基づいて決定され、または、
前記基準スロットは、前記ネットワーク機器の構成に基づいて決定される。
【０１５１】
一実施形態では、前記第２の送信ユニット９０１は、ＲＲＣシグナリングまたは共通制御シグナリングまたは専用制御シグナリングによって前記端末に前記第３の構成情報を送信するように構成される。
【０１５２】
一実施形態では、前記第１のアップリンク／ダウンリンク構成情報は、動的スロットフォーマット指示情報である。
【０１５３】
当業者は、図９に示されるリソースの構成装置における各ユニットの実装機能が、前述のリソースの構成方法の関連する説明を参照することにより理解することができることを理解するはずである。図９に示されるリソースの構成装置における各ユニットの機能は、プロセッサ上で動作されるプログラムによって実装されてもよく、具体的な論理回路によって実装されてもよい。
【０１５４】
本発明の実施例における上記のリソースの構成装置は、ソフトウェア機能モジュールの形態で実装され、独立した製品として販売または使用される場合、それはコンピュータ読み取り可能な記憶媒体に格納されてもよい。このような理解に基づいて、本発明の実施例の技術的解決策の本質的に、または先行技術に寄与する部分は、ソフトウェア製品の形態で具現化されることができ、当該コンピュータソフトウェア製品は、１つの記憶媒体に記憶され、いくつかの命令を含んでコンピュータデバイス（パーソナルコンピュータ、サーバ、またはネットワーク機器等であり得る）に本発明の各実施例に記載の方法のすべてまたは一部を実行させる。前述の記憶媒体は、Ｕディスク、モバイルハードディスク、読み取り専用メモリ（ＲＯＭ：Ｒｅａｄ  Ｏｎｌｙ  Ｍｅｍｏｒｙ）、磁気ディスクまたは光ディスクなどプログラムコードを記憶することができる様々な媒体を含む。このようにして、本発明の実施例は、いずれのハードウェアとソフトウェアの特定の組み合わせに限定されない。
【０１５５】
これに対応して、本発明の実施例は、コンピュータによって実行可能な命令が記憶されるコンピュータ記憶媒体をさらに提供し、当該コンピュータによって実行可能な命令は、プロセッサによって実行されるときに、本発明の実施例の上記のリソースの構成方法を具現する。
【０１５６】
図１０は、本発明の実施例のコンピュータデバイスの例示的な構造構成図であり、当該コンピュータデバイスは、端末であってもよく、ネットワーク機器であってもよい。図１０に示されるように、コンピュータデバイス１００は、１つまたは複数の（図には１つのみ示す）プロセッサ１００２（プロセッサ１００２は、マイクロコントローラーユニット（ＭＣＵ：Ｍｉｃｒｏ  Ｃｏｎｔｒｏｌｌｅｒ  Ｕｎｉｔ）またはフィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）等の処理装置を含むが、これらに限定されない）、データを記憶するためのメモリ１００４、および通信機能のための伝送装置１００６を含むことができる。当業者は、図１０に示される構造が例示のためだけであり、上記の電子装置の構造を限定しないことを理解することができる。例えば、コンピュータデバイス１００は、図１０に示されるものよりも多いまたはより少ないコンポーネントを含んでもよく、または図１０に示されるものとは異なる構成を有してもよい。
【０１５７】
メモリ１００４は、本発明の実施例における方法に対応するプログラム命令／モジュールなど、アプリケーションソフトウェアのソフトウェアプログラムおよびモジュールを記憶するために使用されることができる。プロセッサ１００２は、メモリ１００４内に記憶されるソフトウェアプログラムおよびモジュールを動作することにより、様々な機能アプリケーションおよびデータ処理を行うことができ、即ち、上記の方法が実装される。メモリ１００４は、高速ランダムアクセスメモリを含むことができ、さらに、１つまたは複数の磁気記憶装置、フラッシュメモリ、または他の不揮発性ソリッドステートメモリなどの不揮発性メモリを含むことができる。いくつかの具現例において、メモリ１００４は、プロセッサ１００２に対してリモートに設定されたメモリをさらに含み得、これらのリモートメモリは、ネットワークを介してコンピュータデバイス１００に接続され得る。上記のネットワークの具現例は、インターネット、イントラネット、ローカルエリアネットワーク、モバイル通信ネットワークおよびそれらの組み合わせが含まれるが、これらに限定されない。
【０１５８】
伝送装置１００６は、１つのネットワークを介してデータを受信または送信するために使用される。上記のネットワークの具体的な具現例は、コンピュータデバイス１００の通信プロバイダによって提供される無線ネットワークを含んでもよい。一具現例において、伝送装置１００６は、基地局を介して他のネットワーク機器に接続してインターネットと通信することができる１つのネットワークアダプタ（ＮＩＣ：Ｎｅｔｗｏｒｋ  Ｉｎｔｅｒｆａｃｅ  Ｃｏｎｔｒｏｌｌｅｒ）を含む。一具現例において、伝送装置１００６は、無線方式でインターネットと通信するために使用される無線周波数（ＲＦ：Ｒａｄｉｏ  Ｆｒｅｑｕｅｎｃｙ）モジュールであってもよい。
【０１５９】
本発明の実施例に記載の技術的解決策の間に矛盾することなく任意に組み合わせることができる。
【０１６０】
本発明によって提供されるいくつかの実施例において、開示された方法およびスマートデバイスは、他の方式によって実装され得ることを理解されたい。上記のデバイスの実施例は、例示的なものに過ぎず、例えば、前記ユニットの分割はただ論理的な機能の分割に過ぎない。実際の実装では、複数のユニットまたはコンポーネントを組み合わせるか、別のシステムに統合するか、または一部の特徴を無視するか実行しない等、別の分割方法があり得る。さらに、表示されたまたは議論された各構成部分の間の結合、または直接的な結合、または通信接続は、一部のインターフェース、デバイスまたはユニットの間接的な結合または通信接続であり得、電気的、機械的または他の形態であり得る。
【０１６１】
個別の部品として説明される上記のユニットは、物理的に分離される場合とされない場合があり、ユニットとして表示される部品は、物理ユニットである場合とそうでない場合がある。即ち、ある場所に位置するか、または複数のネットワークユニットに分散されることもできる。実際のニーズにしたがって、その中のユニットの一部または全部を選択して本実施例の技術案の目的を実現することができる。
【０１６２】
さらに、本発明の各実施例における各機能ユニットは、１つの第２の処理ユニットに統合されてもよく、各ユニットが別個に１つのユニットとして存在してもよく、２つまたは２つ以上のユニットが１つのユニットに統合されてもよい。上記の統合されたユニットは、ハードウェアの形態で実装されてもよく、ハードウェアにソフトウェア機能ユニットを加えた形態で実装されてもよい。
【０１６３】
上記は本発明の具体的な実施形態に過ぎず、本発明の保護範囲はそれに限定せず、当業者が、本発明に開示された技術的範囲内で容易に想到し得る変更または置換は、すべて本発明の保護範囲内に含まれるべきである。
【図１】
2021515436.tif 000003
【図２】
2021515436.tif 000004
【図３】
2021515436.tif 000005
【図４】
2021515436.tif 000006
【図５】
2021515436.tif 000007
【図６】
2021515436.tif 000008
【図７】
2021515436.tif 000009
【図８】
2021515436.tif 000010
【図９】
2021515436.tif 000011
【図１０】
2021515436.tif 000012
【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
リソースの構成方法であって、
端末がネットワーク機器によって送信される第１の構成情報および／または第２の構成情報を受信することであって、前記第１の構成情報は、第１の検索空間に対応する第１の時間周期を指示するためであり、前記第２の構成情報は、第１のアップリンク／ダウンリンク構成情報に対応する第２の時間周期を指示するためであることと、
前記端末は、前記第１の構成情報および／または第２の構成情報から１つの構成情報をターゲット構成情報として選択し、前記ターゲット構成情報に対応する時間周期に基づいて前記第１のアップリンク／ダウンリンク構成情報を受信することと、を含む、前記リソースの構成方法。
【請求項２】
前記端末は、前記第１の構成情報および／または第２の構成情報から１つの構成情報をターゲット構成情報として選択することは、
前記端末が前記ネットワーク機器によって送信される前記第１の構成情報を受信すれば、前記端末は、前記第１の構成情報を前記ターゲット構成情報として使用すること、
または、
前記端末が前記ネットワーク機器によって送信される前記第２の構成情報を受信すれば、前記端末は、前記第２の構成情報を前記ターゲット構成情報として使用すること、
または、
前記端末が、前記ネットワーク機器によって送信される前記第１の構成情報および前記第２の構成情報を受信すれば、前記端末は、前記第２の構成情報を前記ターゲット構成情報として使用することを含む、
請求項１に記載のリソースの構成方法。
【請求項３】
前記方法は、
前記端末が、前記ネットワーク機器によって送信される第３の構成情報を受信することであって、前記第３の構成情報は、前記ターゲット構成情報に対応する時間周期における前記第１のアップリンク／ダウンリンク構成情報の時間領域開始位置を決定するためであることと、
前記端末は、前記ターゲット構成情報に対応する時間周期における時間領域開始位置で前記第１のアップリンク／ダウンリンク構成情報を受信し始めることと、をさらに含む、
請求項１又は２に記載のリソースの構成方法。
【請求項４】
前記第３の構成情報は、前記ターゲット構成情報に対応する時間周期における前記第１のアップリンク／ダウンリンク構成情報の時間領域開始位置を決定するためであることは、
前記第３の構成情報は、前記ターゲット構成情報に対応する時間周期における前記第１のアップリンク／ダウンリンク構成情報の開始スロット位置を決定するためであること、または、
前記第３の構成情報は、前記ターゲット構成情報に対応する時間周期における基準スロットに対する前記第１のアップリンク／ダウンリンク構成情報のスロットオフセットを決定するためであることを含む、
請求項３に記載のリソースの構成方法。
【請求項５】
前記端末が、前記ネットワーク機器によって送信される第３の構成情報を受信することは、
前記端末は、前記ネットワーク機器が無線リソース制御（ＲＲＣ）シグナリングまたは共通制御シグナリングまたは専用制御シグナリングによって送信される第３の構成情報を受信することを含む、
請求項３又は４に記載のリソースの構成方法。
【請求項６】
リソースの構成方法であって、
端末がネットワーク機器によって送信される第３の構成情報を受信することであって、前記第３の構成情報は、ターゲット時間周期における第１のアップリンク／ダウンリンク構成情報の時間領域開始位置を決定するためであることと、
前記端末が、前記ターゲット時間周期における時間領域開始位置で前記第１のアップリンク／ダウンリンク構成情報を受信し始めることと、を含む、前記リソースの構成方法。
【請求項７】
前記第３の構成情報は、前記ターゲット時間周期における前記第１のアップリンク／ダウンリンク構成情報の時間領域開始位置を決定するためであることは、
前記第３の構成情報は、前記ターゲット時間周期における前記第１のアップリンク／ダウンリンク構成情報の開始スロット位置を決定するためであること、または
前記第３の構成情報は、前記ターゲット時間周期における基準スロットに対する前記第１のアップリンク／ダウンリンク構成情報のスロットオフセットを決定するためであることを含む、
請求項６に記載のリソースの構成方法。
【請求項８】
前記端末がネットワーク機器によって送信される第３の構成情報を受信することは、
前記端末は、前記ネットワーク機器がＲＲＣシグナリングまたは共通制御シグナリングまたは専用制御シグナリングによって送信される第３の構成情報を受信することを含む、
請求項６又は７に記載のリソースの構成方法。
【請求項９】
リソースの構成装置であって、
ネットワーク機器によって送信される第１の構成情報および／または第２の構成情報を受信する第１の受信ユニットであって、前記第１の構成情報は、第１の検索空間に対応する第１の時間周期を指示するためであり、前記第２の構成情報は、第１のアップリンク／ダウンリンク構成情報に対応する第２の時間周期を指示するためである第１の受信ユニットと、
前記第１の構成情報および／または第２の構成情報が１つの構成情報をターゲット構成情報として選択する選択ユニットと、
前記ターゲット構成情報に対応する時間周期に基づいて前記第１のアップリンク／ダウンリンク構成情報を受信する第２の受信ユニットと、を含む、前記リソースの構成装置。
【請求項１０】
前記端末が前記ネットワーク機器によって送信される前記第１の構成情報を受信すれば、前記選択ユニットは、前記第１の構成情報を前記ターゲット構成情報として使用し、
または、
前記端末が前記ネットワーク機器によって送信される前記第２の構成情報を受信すれば、前記選択ユニットは、前記第２の構成情報を前記ターゲット構成情報として使用し、
または、
前記端末が、前記ネットワーク機器によって送信される前記第１の構成情報および前記第２の構成情報を受信すれば、前記選択ユニットは、前記第２の構成情報を前記ターゲット構成情報として使用する、
請求項９に記載のリソースの構成装置。
【請求項１１】
前記装置は、さらに、
前記ネットワーク機器によって送信される第３の構成情報を受信する第３の受信ユニットであって、前記第３の構成情報は、前記ターゲット構成情報に対応する時間周期における前記第１のアップリンク／ダウンリンク構成情報の時間領域開始位置を決定するためである第３の受信ユニットと、
前記ターゲット構成情報に対応する時間周期における時間領域開始位置で前記第１のアップリンク／ダウンリンク構成情報を受信し始める第２の受信ユニットと、を含む、
請求項９又は１０に記載のリソースの構成装置。
【請求項１２】
前記第３の構成情報は、前記ターゲット構成情報に対応する時間周期における前記第１のアップリンク／ダウンリンク構成情報の時間領域開始位置を決定するためであることは、
前記第３の構成情報は、前記ターゲット構成情報に対応する時間周期における前記第１のアップリンク／ダウンリンク構成情報の開始スロット位置を決定するためであること、または、
前記第３の構成情報は、前記ターゲット構成情報に対応する時間周期における基準スロットに対する前記第１のアップリンク／ダウンリンク構成情報のスロットオフセットを決定するためであることを含む、
請求項１１に記載のリソースの構成装置。
【請求項１３】
リソースの構成装置であって、
ネットワーク機器によって送信される第３の構成情報を受信する第３の受信ユニットであって、前記第３の構成情報は、ターゲット時間周期における第１のアップリンク／ダウンリンク構成情報の時間領域開始位置を決定するためである第３の受信ユニットと、
前記ターゲット時間周期における時間領域開始位置で前記第１のアップリンク／ダウンリンク構成情報を受信し始める第２の受信ユニットと、を含む、前記リソースの構成装置。
【請求項１４】
前記第３の構成情報は、前記ターゲット時間周期における前記第１のアップリンク／ダウンリンク構成情報の時間領域開始位置を決定するためであることは、
前記第３の構成情報は、前記ターゲット時間周期における前記第１のアップリンク／ダウンリンク構成情報の開始スロット位置を決定するためであること、または、
前記第３の構成情報は、前記ターゲット時間周期における基準スロットに対する前記第１のアップリンク／ダウンリンク構成情報のスロットオフセットを決定するためであることを含む、
請求項１３に記載のリソースの構成装置。
【請求項１５】
コンピュータに請求項１ないし５のいずれか一項に記載の方法、または請求項６ないし８のいずれか一項に記載の方法を実行させるためのコンピュータ実行可能な命令を記憶したコンピュータ読み取り可能な記憶媒体。
【国際調査報告】
2021515436.tif 000013
2021515436.tif 000014
2021515436.tif 000015
2021515436.tif 000016